(57)【特許請求の範囲】
【請求項１】
本体に被取付け部材をロックしかつ前記ロックを解除するためのリテーナ・キャップ組立体であって、
前記被取付け部材に固定されたハウジングと、
前記ハウジング内に配置され、前記本体と係合して前記被取付け部材をロックする位置と前記ロックがされていない位置との間で、共通の旋回軸の周りに旋回可能な少なくとも２つのラッチ・プレートと、
前記ハウジング上に回転可能に支持されたロック・バーであって、選択的に、（１）前記２つのラッチ・プレートがロックされた位置にあるときに、前記２つのラッチ・プレートの両方と係合して前記２つのラッチ・プレートが前記旋回軸を中心に回転するのを防ぐように、（２）前記２つのラッチ・プレートがロックされていない位置にあるときに、前記２つのラッチ・プレートの両方から係脱して前記２つのラッチ・プレートが前記旋回軸を中心に回転できるように、前記２つのラッチ・プレートの前記共通の旋回軸に垂直な軸の周りを回転するロック・バーと
を備えるリテーナ・キャップ組立体。
【請求項２】
前記２つのラッチ・プレートのそれぞれが内側端部と外側端部を備え、前記外側端部の方に面するグリップ面を前記内側端部が備え、前記ロック・バーと係合する切り欠きを前記外側端部が備える、請求項１に記載のリテーナ・キャップ組立体。
【請求項３】
前記２つのラッチ・プレートの前記内側端部が、それぞれ、前記グリップ面によって部分的に画定されるフック状の形状を有し、前記内側端部同士の前記フック状の形状が反対方向に延在する、請求項２に記載のリテーナ・キャップ組立体。
【請求項４】
前記ハウジングが、取付けプレート、前記取付けプレートと実質的に平行に配置された内側プレート、ならびに前記取付けプレートおよび前記内側プレートのそれぞれにある開口を備え、前記２つのラッチ・プレートが、前記取付けプレートおよび前記内側プレートを通って長手方向に延在するように前記開口内に配置され、前記開口内で旋回可能である、請求項１に記載のリテーナ・キャップ組立体。
【請求項５】
前記２つのラッチ・プレートと平行に配置された固定プレートを前記ハウジングがさらに備え、前記２つのラッチ・プレートが前記ロックされた位置にあるときに前記２つのラッチ・プレートの前記切り欠きと形状および位置揃えの点で一致する切り欠きが前記固定プレートの外側端部に設けられ、それにより、前記２つのラッチ・プレートの前記切り欠きに前記ロック・バーが受け止められている間に、前記固定プレートの前記切り欠きに前記ロック・バーが配置される、請求項２に記載のリテーナ・キャップ組立体。
【請求項６】
前記ハウジングに回転可能に固定された第１の端部で前記ハウジング上に回転可能に前記ロック・バーが支持され、
前記ロック・バーの旋回軸に周りに回転したときに旋回して前記ハウジングから離れるように前記ハウジングに取り外し可能に固定された第２の端部を前記ロック・バーが有し、
前記２つのラッチ・プレートが前記ロックされた位置にあるときに、前記２つのラッチ・プレートの前記切り欠きに前記ロック・バーが受け止められ、それにより前記リテーナ・キャップ組立体がロックされた状態になる、請求項２に記載のリテーナ・キャップ組立体。
【請求項７】
トラック組立体であって、
少なくとも１つの取付けビームを有する車両の上に前記トラック組立体をロックしかつ前記ロックを解除するためのリテーナ・キャップ装置を有し、
前記車両に対して着脱可能なように前記車両の前記取付けビーム上に受け止められるようになされた開口を有するトラック・フレームを備え、
前記リテーナ・キャップ装置が、
内部に開口を有するハウジングであって、前記ハウジングの開口と前記トラック・フレームの開口が並ぶように前記トラック・フレームに固定されたハウジングと、
前記ハウジングの前記開口に配置され、それぞれが外側端部と内側端部を有し、前記外側端部に切り欠きが形成され、同じ旋回軸に沿って前記ハウジングの開口内で回転可能である１組のラッチ・プレートと、
前記ハウジング上に回転可能に支持された第１の端部を有するロック・バーであって、選択的に、（１）前記１組のラッチ・プレートがロックされた位置にあるときに、前記１組のラッチ・プレートの前記切り欠きの両方と係合して前記１組のラッチ・プレートが前記旋回軸を中心に回転するのを防ぐように、（２）前記１組のラッチ・プレートがロックされていない位置にあるときに、前記１組のラッチ・プレートの前記切り欠きの両方から係脱して前記１組のラッチ・プレートが前記旋回軸を中心に回転できるように、前記１組のラッチ・プレートの前記旋回軸に垂直な軸の周りを回転するロック・バーと
を備えるトラック組立体。
【請求項８】
前記１組のラッチ・プレートのそれぞれの前記内側端部が、前記ラッチ・プレートの前記外側端部の方に面するグリップ面をさらに備え、それにより、前記１組のラッチ・プレートがロックされた状態にある間、前記グリップ面が隙間をはさんで前記ハウジングに面し、前記グリップ面と前記ハウジングの間に保持されるように前記トラック組立体が前記車両上にロックされているときに、前記取付けビームの一部分が前記隙間に嵌まる、請求項７に記載のトラック組立体。
【請求項９】
前記１組のラッチ・プレートの前記内側端部が、それぞれ、前記グリップ面によって部分的に画定されるフック状の形状を有し、前記フック形状同士が反対方向に延在する、請求項８に記載のトラック組立体。
【請求項１０】
前記トラック・フレームに固定して取り付けられ、前記ロック・バーの前記第１の端部が回転可能に支持される取付けプレートと、
前記取付けプレートと実質的に平行に配置され、前記グリップ面との間に前記隙間が設けられている内側プレートと
を前記ハウジングが備える、請求項８に記載のトラック組立体。
【請求項１１】
前記１組のラッチ・プレートと平行に配置された固定プレートを前記ハウジングが備え、前記１組のラッチ・プレートが前記ロックされた位置にあるときに前記１組のラッチ・プレートの前記切り欠きと形状および位置揃えの点で一致する切り欠きが前記固定プレートの外側端部に設けられ、それにより、前記１組のラッチ・プレートの前記切り欠きに前記ロック・バーが受け止められている間に、前記固定プレートの前記切り欠きに前記ロック・バーが配置される、請求項１０に記載のトラック組立体。
【請求項１２】
着脱容易なピンと、
開口を有し、前記取付けプレート上に形成されたピン・プレートと、
前記ロック・バーの第２の端部に形成された開口と
を前記リテーナ・キャップ装置がさらに備え、
前記１組のラッチ・プレートの前記切り欠きに前記ロック・バーが受け止められているときに、前記ピン・プレートと前記ロック・バーの前記開口に前記着脱容易なピンが取り外し可能に挿入され、それにより前記リテーナ・キャップ組立体がロックされた状態になる、請求項１１に記載のトラック組立体。
【請求項１３】
前記トラック組立体が前記車両に付けられているときに、前記取付けビームの遠位端のエンド・プレートを収容することができる幅を前記隙間が有する、請求項１０に記載のトラック組立体。
【請求項１４】
取り外し可能なトラック組立体を有する車両であって、
トラック組立体を受け止めるように構成され、前記トラック組立体の開口にスライドして挿入される取付けビームと、
前記トラック組立体上に設けられ、車両の取付けビームを受け止めるように構成された開口と、
前記取付けビームの遠位端のエンド・プレートに設けられた開口であって、前記トラック組立体が前記取付けビームに受け止められている間前記トラック組立体の開口と位置が揃う開口と、
前記トラック組立体の開口から前記エンド・プレートの開口内に突出する１組のラッチ・プレートとを備え、
前記取付けビームに対して前記トラック組立体が移動可能であるロックされていない位置と、前記取付けビームに対する前記トラック組立体の移動が妨げられるロックされた位置との間で前記１組のラッチ・プレートが旋回可能であり、
前記ロックされた位置に前記トラック組立体を押し付けるように前記１組のラッチ・プレートが前記エンド・プレートを把持する、車両。
【請求項１５】
ハウジング、１組のラッチ・プレートおよび前記１組のラッチ・プレートと係合するための前記ハウジング上に配置されたロック・バーを備えるリテーナ・キャップ組立体が取り付けられたトラック組立体を車両の上に据え付ける方法であって、
前記リテーナ・キャップ組立体が取り付けられた前記トラック組立体を前記車両の取付けビーム上でスライドさせ、
前記取付けビームの一部分に対して前記１組のラッチ・プレートをロックされる位置に回転させ、
前記ロック・バーを旋回させて、前記１組のラッチ・プレートが回転するのを防ぐように前記１組のラッチ・プレートと係合させ、
前記ロック・バーを前記ハウジングに固着する
ことを含む方法。
【発明の詳細な説明】
【技術分野】
【０００１】
１．分野
例示的な実施形態の態様は、取り外し可能なトラック組立体を利用する車両用のリテーナ・キャップ組立体、およびトラック組立体を据え付ける方法に関する。
【背景技術】
【０００２】
２．関連技術
関連技術では、土木機械などの大型の建設機械は、輸送についての幅および重量の要求に従うために、輸送される間解体される。例えば、クローラ・クレーンの場合は、トラック組立体が輸送の前にクレーンの両側から取り外され、それから作業場で再びクレーンに付けられる。
【０００３】
一般に、クレーンにトラックを保持するには、リテーナ・キャップが用いられる。トラックがクレーンに据え付けられている間に、リテーナ・キャップは取付けビームに一時的に据え付けられる。しかしながら、トラックをクレーンから取り外すとき、リテーナ・キャップを別個に取り外し、収納しなければならない。一般に、関連技術のリテーナ・キャップは扱いにくいものであり、関連技術のリテーナ・キャップを据え付けたり取り外すには器具が必要である。
【発明の概要】
【０００４】
例示的な実施形態に適合した装置は、トラック組立体に永続的に付けられるリテーナ・キャップ組立体を備え、リテーナ・キャップ組立体がトラック組立体に付いたままである間に、そのトラック組立体を車両に据え付けたり車両から取り外すことができる。
【０００５】
本体に被取付け部材をロックしかつロックを解除するためのリテーナ・キャップ組立体は、被取付け部材に固定されたハウジングと、ハウジング内に配置され、本体と係合して被取付け部材をロックする位置とロックがされていない位置との間で、共通の旋回軸の周りに旋回可能な少なくとも２つのラッチ・プレートと、ハウジング上に回転可能に支持されたロック・バーとを備えてよい。ロック・バーは、選択的に、（１）２つのラッチ・プレートがロックされた位置にあるときに、２つのラッチ・プレートの両方と係合して２つのラッチ・プレートが旋回軸を中心に回転するのを防ぐように、（２）２つのラッチ・プレートがロックされていない位置にあるときに、２つのラッチ・プレートの両方から係脱して２つのラッチ・プレートが旋回軸を中心に回転できるように、２つのラッチ・プレートの旋回軸に垂直な軸の周りを回転する。
【０００６】
別の例示的な実施形態によれば、トラック組立体が、少なくとも１つの取付けビームを有する車両の上にトラック組立体をロックしかつロックを解除するためのリテーナ・キャップ装置を有し、車両に対して着脱可能なように車両の取付けビーム上に受け止められるようになされた開口を有するトラック・フレームを備える。リテーナ・キャップ装置は、内部に開口を有するハウジングであって、ハウジングの開口とトラック・フレームの開口が並ぶようにトラック・フレームに固定されたハウジングと、ハウジングの開口に配置され、それぞれが、外側端部と内側端部を有し、外側端部に切り欠きが形成され、同じまたは共通の旋回軸に沿ってハウジングの開口内で回転可能である１組のラッチ・プレートとを備える。ハウジング上に回転可能に支持された第１の端部を有するロック・バーが設けられ、ロック・バーは、選択的に、（１）１組のラッチ・プレートがロックされた位置にあるときに、１組のラッチ・プレートの切り欠きの両方と係合して１組のラッチ・プレートが旋回軸を中心に回転するのを防ぐように、（２）１組のラッチ・プレートがロックされていない位置にあるときに、１組のラッチ・プレートの切り欠きの両方から係脱して１組のラッチ・プレートが旋回軸を中心に回転できるように、１組のラッチ・プレートの旋回軸に垂直な軸の周りを回転する。
【０００７】
さらに、例示的な実施形態は、取り外し可能なトラック組立体を有する車両であって、トラック組立体を受け止めるための、トラック組立体の開口にスライドして挿入される１つまたは複数の取付けビームと、トラック組立体上に設けられ、車両の取付けビームを受け止めるための開口とを備える。さらに、取付けビームの遠位端のエンド・プレートに、トラック組立体が取付けビームに受け止められている間トラック組立体の開口と位置が揃う開口が設けられる。トラック組立体の開口からエンド・プレートの開口内に１組のラッチ・プレートが突出し、取付けビームに対してトラック組立体が移動可能であるロックされていない位置と、取付けビームに対するトラック組立体の移動が妨げられるロックされた位置との間で１組のラッチ・プレートが旋回可能である。ロックされた位置にトラック組立体を押し付けるように１組のラッチ・プレートがエンド・プレートを把持する。
【０００８】
トラック組立体を車両の上に据え付ける方法によれば、トラック組立体にはリテーナ・キャップ組立体が取り付けられ、リテーナ・キャップ組立体は、ハウジング、１組のラッチ・プレートおよび１組のラッチ・プレートと係合するためのハウジング上に配置されたロック・バーを備える。その方法は、リテーナ・キャップ組立体が取り付けられたトラック組立体を車両の取付けビーム上でスライドさせ、取付けビームの一部分に対して１組のラッチ・プレートをロックされる位置に回転させ、ロック・バーを旋回させて、１組のラッチ・プレートが回転するのを防ぐように１組のラッチ・プレートと係合させ、ロック・バーをハウジングに固着することを含む。
【図面の簡単な説明】
【０００９】
【図１】例示的な実施形態による、ロックされた位置にあるリテーナ・キャップ組立体の破断斜視図である。
【図２】例示的な実施形態による、ロックされていない位置にあるリテーナ・キャップ組立体の破断図である。
【図３】例示的な実施形態による、ロックされていない位置にあるリテーナ・キャップ組立体の拡大した破断上面図である。
【図４】例示的な実施形態による、ロックされた位置にあるリテーナ・キャップ組立体の拡大した破断上面図である。
【図５Ａ】例示的な実施形態による、リテーナ・キャップ組立体が組み立てられていない状態の斜視図である。
【図５Ｂ】例示的な実施形態による、ロックされた位置にあるリテーナ・キャップ組立体の正面図である。
【図５Ｃ】例示的な実施形態による、ロックされた位置にあるリテーナ・キャップ組立体の斜視図である。
【図５Ｄ】例示的な実施形態による、ロックされた位置にあるリテーナ・キャップ組立体の側面図である。
【図５Ｅ】例示的な実施形態による、ロックされた位置にあるリテーナ・キャップ組立体の上面図である。
【図６】例示的な実施形態による、１組のラッチ・プレートの拡大図である。
【図７Ａ】例示的な実施形態による、リテーナ・キャップ組立体の後方斜視図である。
【図７Ｂ】例示的な実施形態による、図７Ａの前方斜視図である。
【図７Ｃ】例示的な実施形態による、取付けプレート上の固定プレートの断面図である。
【図８】例示的な実施形態による、リテーナ・キャップ組立体、トラック組立体および車両の分解図である。
【図９】トラック組立体を据え付ける方法のフローチャートである。
【図１０】トラック組立体を取り外す方法のフローチャートである。
【発明を実施するための形態】
【００１０】
以下では、添付図面とともに、例示的な実施形態を説明する。添付の図面を参照して例示的な実施形態を説明することで、例示的な実施形態の態様がより明らかになるだろう。
【００１１】
以下の説明では、異なる図面であっても、同じ構成要素には同じ図面の参照符号を用いる。詳細な構造や構成要素などの本明細書で定められる事項は、本発明の概念を包括的に理解するのに役立つように与えられる。したがって、そうした特別に定められた事項がなくても例示的な実施形態を実行できることは明らかである。また、周知の機能や構造は、不必要な細目で本発明を不明瞭にすることになるため詳細には説明しない。
【００１２】
図１は、例示的な実施形態による、トラック組立体が配置された建設車両の等角図を示す。クローラ・トラック付きのマシンと呼ばれるこの種類の建設車両に関して本発明の概念を説明するが、本発明の概念はこの特定の種類の建設車両には限定されず、当業者であれば理解するように、他の土木機械や、その上に機械を据え付けたりそこから機械を取り外す必要があるいかなる車両をも対象とし得る。
【００１３】
通常、作業場へのまたはそこからの輸送の間は、輸送に関する幅および重量の要求を満たすために、建設車両２００のトラック組立体２１０を取り外さなければならない。従来、トラック組立体を取り外すには、リテーナ・キャップ（これによりトラック組立体が車両上に固定される）を取り外す必要があり、それからトラック組立体を建設車両から取り外す。
【００１４】
図１および図８に示すように、建設車両２００は、１組の平行な四角い取付けビーム２０２を有する本体２０１（例えば、中央本体）を備えてもよく、その取付けビーム２０２は、中央本体２０１から外側に延在してそこにトラック組立体２１０を受け入れる。それぞれのトラック組立体２１０はトラック・フレーム２１１を備え、そのトラック・フレーム（図３）は、それぞれの取付けビーム２０２の遠位端を受け止めるための開口２１３を有する。したがって、トラック組立体２１０は、車両２００に据え付けたりそこから取り外すために、取付けビーム２０２をスライドしたりそこから外れる。それぞれの取付けビーム２０２はフランジ・プレート２０４を備えてもよく、それにより、トラック組立体２１０を車両２００に組み付けるときに、フランジ・プレート２０４に接触するまでトラック組立体２１０が取付けビーム２０２の遠位端をスライドするようになる。
【００１５】
関連技術では、リテーナ・キャップはトラック・フレームの開口を通して取付けビームの遠位端に直接ボルト締めされ、それにより、トラック組立体２１０が本体２０１に固着するように、フランジ・プレート２０４とリテーナ・キャップの間にトラック・フレームが押し込まれる。
【００１６】
例示的な実施形態では、取付けビームの代わりにトラック組立体２１０にリテーナ・キャップ組立体１００を固定し、据付けおよび取外しの間トラック組立体２１０に付けたままとすることが可能になる。したがって、リテーナ・キャップ組立体１００は、トラック組立体２１０を車両２００から取り外すプロセスの間やその取外し手順の後でもトラック組立体２１０から取り外されないため、自己保管式（ｓｅｌｆ−ｓｔｏｒｉｎｇ）である。
【００１７】
図２に示す例示的な実施形態によれば、リテーナ・キャップ組立体１００は、ハウジング１１０、ラッチ・プレート１２０およびロック・バー１３０を備える。ハウジング１１０は、トラック・フレーム２１１の開口２１３の外周部の辺りでボルト締めされる。したがって、トラック組立体２１０が本体２０１から取り外されている間や、本体２０１から外された後でも、リテーナ・キャップ組立体１００はトラック組立体２１０にボルト締めされたままになる。
【００１８】
図８を参照すると、トラック組立体２１０の左側で、左のリテーナ・キャップ組立体１００が単に説明のために外されている。右のリテーナ・キャップ組立体１００は、トラック組立体２１０が車両から外されたときにリテーナ・キャップ組立体１００がどのようにしてトラック組立体に固定されたままになっているかを示す。
【００１９】
図５Ａを参照すると、中央ピン１６０が旋回軸として設けられており、ラッチ・プレート１２０を前後に振る、すなわち、旋回軸Ｘの周りに回転または旋回させることができる。運動の範囲は、ハウジング１１０の開口１１１（例えば、図７Ａを参照）によって制限される。
【００２０】
図３は、ロックされていない位置にあるリテーナ・キャップ組立体１００を示し、そこでは、ラッチ・プレート１２０が、中央本体２０１の取付けビーム２０２に対するトラック組立体２１０の移動を妨げないように（ロックしないように）回転されている。開口１１１の形状および寸法は十分に大きく、ラッチ・プレート１２０をこの妨げられない位置の中に振ることができる。図３に示す例では、開口１１１を断面で示しており、図７Ｃに関してさらに詳細に説明するように、外側での開口の幅が内側での幅よりも広い。
【００２１】
図４は、ロックされた位置にあるリテーナ・キャップ組立体１００を示し、そこでは、ラッチ・プレート１２０が、中央本体２０１の取付けビーム２０２に対するトラック組立体２１０の移動を妨げるように（ロックするように）回転されている。
【００２２】
図３と図４を比較すると、リテーナ・キャップ組立体１００がロックされた位置にある（図４）ときは、内側端部１２０ａと外側端部１２０ｂをそれぞれが有する（図４の見方では互いに重ね合わされている）２つのラッチ・プレート１２０が、ラッチ・プレート１２０とリテーナ・キャップ組立体のハウジング１１０との間に取付けビーム２０２のエンド・プレート２０６が保持されるように位置している。例えば、グリップ面１２２（図６の（Ａ）および（Ｂ）を参照）を内側端部１２０ａに設けて、ラッチ・プレート１２０とリテーナ・キャップ組立体のハウジング１１０との間に取付けビーム２０２の遠位端（例えば、エンド・プレート２０６）を把持または保持することができる。ラッチ・プレート１２０を取付けビーム２０２上に確実に保持することができるならば、グリップ面１２２の代わりに他の構造を用いてその把持または保持する機能を実施することもできる。
【００２３】
一方、リテーナ・キャップ組立体１００がロックされていない位置にある（図３）ときは、内側端部１２０ａが取付けビーム２０２の遠位端を把持できないような妨げられない位置に（図３の見方では互いに重ね合わされている）ラッチ・プレート１２０が置かれ、そのために、トラック組立体２１０をスライドして取付けビーム２０２から外すことができる。ロックしかつロックを解除することができる特定の寸法関係については、以下で詳述する。
【００２４】
図５Ａ〜図５Ｅは、リテーナ・キャップ組立体１００の詳細図を示す。それぞれのリテーナ・キャップ組立体１００は、少なくとも、ハウジング１１０、ロック・バー１３０およびラッチ・プレート１２０を備える。
【００２５】
ロック・バー１３０は、第１の端部１３１と第２の端部１３２を有する。第１の端部１３１はハウジング１１０に回転可能に固定され、第２の端部１３２は回転軸Ｙの周りで自由に振られる。この例示的な実施形態では、１組のピン・プレート１１４と、ピン・プレート１１４の開口およびロック・バー１３０の第１の端部１３１の開口の両方で受け止められるロック・バー・ピン１４０とによって、ロック・バー１３０をハウジング１１０に固定してもよい。しかしながら、当業者であれば理解するように、いかなる構造を用いてロック・バー１３０をハウジング１１０に回転可能に取り付ける機能を実施してもよい。
【００２６】
ロック・バー１３０の第２の端部１３２は、着脱容易なピン１５０を受け止めるための開口を有する。ロック・バー１３０の第１の端部１３１に設けられたピン・プレート１１４と同様に、ロックされた位置にあるとき、１組のピン・プレート１１５がロック・バー１３０の第２の端部１３２の反対側に設けられている。しかしながら、ここではロック・バー１３０はハウジング１１０に取り外し可能に付けられており、したがって、着脱容易なピン１５０がハウジング１１０から解放されるときに、ロック・バー１３０は解放され、旋回軸Ｙの周りで自由に振ることができる。
【００２７】
ラッチ・プレート１２０は、作業者にとって過度に煩わしくならなければ、何枚設けてもよい。図５Ａ〜図５Ｅに示す例示的な実施形態では、２組のラッチ・プレート１２０が設けられている（例えば、図５Ｂを参照）。それぞれのラッチ・プレート１２０の外側端部１２０ｂは切り欠きまたはスロット１２１を有し、ロックされる位置にハウジング１１０に対してロック・バー１３０を回転したときに、その切り欠きまたはスロットはロック・バー１３０と係合および協働する。
【００２８】
ラッチ・プレート１２０は、ロック・バー１３０の旋回軸Ｙに垂直な共通の旋回軸Ｘの周りに回転または旋回する。この例示的な実施形態では中央ピン１６０が旋回軸Ｘを定めるが、当業者であれば理解するように、いかなる同等の構造を用いて、ラッチ・プレートが反対方向に旋回できるようにその旋回移動を可能にする機能を実施してもよい。
【００２９】
ロックされる位置およびロックされていない位置に、ラッチ・プレート１２０を作業者が手動で旋回させてもよい。ロック・バー１３０も作業者により操作してもよく、その作業者が、着脱容易なピン１５０を手動で挿入または解放し、ロックされる位置およびロックされていない位置にロック・バー１３０の旋回軸Ｙの周りにそのロック・バーを旋回させることができる。
【００３０】
上で述べたように、ロック・バー１３０がラッチ・プレート１２０の切り欠きまたはスロット１２１と係合するときに、ロック・バー１３０が妨害するため、ラッチ・プレート１２０の旋回軸Ｘの周りの回転が妨げられる。ロック・バー１３０は、あくまで切り欠きまたはスロット１２１同士が互いに並んだときにその切り欠きまたはスロット１２１と係合することができる。ラッチ・プレート１２０をそれがロックされる位置に回転しない場合、切り欠き１２１が適切に並んでロック・バー１３０を受け入れることはないため、ロック・バー１３０は切り欠き１２１の中に嵌まることができない。この特徴により、組立体がロックされた状態が確保される。
【００３１】
図５Ｂ〜図５Ｅは、例示的な実施形態による、ロックされた位置にあるリテーナ・キャップ組立体の様々な図を示す。分かりやすくするために、既に述べた参照記号は省略することがある。ラッチ・プレート１２０の外側端部１２０ｂ同士が並んで、ラッチ・プレート１２０の切り欠きまたはスロット１２１の中にロック・バー１３０が位置し、着脱容易なピン１５０が挿入されていることで、ロックされた位置を視覚的に確認することができる。これらすべての条件が満たされると、トラック組立体２１０を車両２００上に維持するための固着したロック位置にリテーナ・キャップ組立体１００があることを、作業者が視覚的に認識することができる。
【００３２】
図６の（Ａ）および（Ｂ）は、例示的な実施形態による、ラッチ・プレートに用いることができる形状を示す。図６の（Ａ）および（Ｂ）に示すように、それぞれのラッチ・プレート１２０の内側端部１２０ａは、グリップ面１２２を画定するフック状の形状を有する。ラッチ・プレート１２０同士は互いの鏡像として与えられているので、フック状の形状が反対方向に延在する。図３および図４に関して上記した通り、この配置により、内側端部１２０ａが取付けビーム２０２とトラック組立体２１０の間の移動を妨げるか、または妨げないようにすることができる。
【００３３】
特に、その１組のラッチ・プレート１２０は反対の像を有する。すなわち、それらのラッチ・プレートは互いに鏡像である。外側端部１２０ｂは、少なくともロック・バー１３０の一部を内部に受け入れるための切り欠き１２１を有する。内側端部１２０ａはフック状の形状を有し、ラッチ・プレートの外側端部１２０ｂに面するグリップ面１２２をもつ。中央本体２０１の取付けビーム２０２上でロックされた位置に据え付けて旋回したときに、グリップ面１２２はハウジング１１０に面し、したがって、中央本体２０１の取付けビーム２０２の遠位端のエンド・プレート２０６がハウジング１１０とグリップ面１２２の間にはさまれる（図４を参照）。すなわち、ハウジング１１０とグリップ面１２２の間に隙間Ｇ（図５Ｅを参照）が形成され、その隙間Ｇは、その間に取付けビーム２０２のエンド・プレート２０６を収容するのに十分な大きさである。隙間Ｇは、ラッチ・プレート１２０をロックされた位置におよびそこから回転できるだけの十分な大きさとしてもよい。一方、嵌込みがゆるいことにより課される外部からの力に起因する不必要ながたつきや起こり得る損傷を大幅に防ぐため、隙間Ｇは、グリップ面１２２と取付けビーム２０２のエンド・プレート２０６との間の遊びがほとんどないように十分小さくすべきである。
【００３４】
リテーナ・キャップ組立体１００のすべてのラッチ・プレート１２０には、共通の旋回軸が設けられている。その上、ラッチ・プレート１２０の形状は、概して細長く、内側端部１２０ａと外側端部１２０ｂの間に本体部１２０ｃが設けられている。旋回軸Ｘは本体部１２０ｃを通って延在する。ロックされていない位置にラッチ・プレート１２０を回転したときに、取付けビーム２０２のエンド・プレート２０６の開口２０３におよびそこからラッチ・プレートがスライドすることができるように、本体部１２０ｃは、テーパ状の端部を有してもよい。より詳細には、ロックされていない位置を示す図３を参照すると、１組の重ね合わされたラッチ・プレートの、重ね合わされた内側端部１２０ａで最も広い部分における全幅Ｗ１は、開口２０３の幅Ｗ２およびハウジング１１０の内側プレート１１７での開口１１１の幅Ｗ３（図７Ｃを参照）より小さい。
【００３５】
その上、ロックされた位置では、１組の重ね合わされたラッチ・プレートは、グリップ面１２２のすぐ隣にある本体部１２０ｃの先端でＷ４の全幅を有する（図５Ｅを参照）。ロックされた状態にラッチ・プレート１２０が旋回移動するのを妨げないように、開口２０３内に収まるほど幅Ｗ４は十分小さく、グリップ面１２２はエンド・プレート２０６（図４を参照）とほぼ平行な位置に揃っている。このロックされた状態では、グリップ面１２２はエンド・プレート２０６に直接接触してもよく、またはグリップ面１２２とエンド・プレート２０６の間に公差があってもよい。
【００３６】
したがって、その色々な寸法関係に関して、開口２０３の幅Ｗ２は開口１１１の幅Ｗ３とほぼ同じであり、重ね合わされたロックされていないラッチ・プレート１２０の幅Ｗ１は重ね合わされてロックされたラッチ・プレート１２０の幅Ｗ４とほぼ同じである。しかしながら、本発明の概念はこの形状に限定されない。当業者であれば理解するように、ラッチ・プレート１２０は、ハウジングと取付けビームの開口を通して挿入可能かつ取外し可能であり、ロックされた位置とロックされていない位置の間で旋回可能であるという要求を満たす限り、他の形状で設けてもよい。
【００３７】
切り欠きまたはスロット１２１およびその中に少なくとも部分的に嵌まるロック・バー１３０の形状は、特定の形状に限定されない。図面では実質的に長方形の形状で示しているが、ロック・バーが切り欠きと係合して、それらが旋回または回転するのを実質的に防ぐことができる限り、切り欠きとロック・バーには他の形状を用いてもよい。例えば、図６の（Ａ）および（Ｂ）に示す切り欠き１２１はその開口でいくらかフレア状であり、それにより、ロック・バー１３０が内部に係合しやすくなる。
【００３８】
土木機械や建設機械の用途では高い強度が求められるため、例示的な実施形態によれば、ラッチ・プレート１２０は約１インチの厚さとして、耐久性のある金属または合金で形成することができる。
【００３９】
その上、リテーナ・キャップ組立体は、トラック・フレームを回転させる台に付随したねじれに耐えられなければならない。本明細書に記載したリテーナ・キャップ組立体は、取付けビームに直接ボルト締めされる関連技術のリテーナ・キャップ組立体と少なくとも同等の力に耐える強度を有してもよい。
【００４０】
ハウジング構造については図７Ａ〜図７Ｃで詳述する。ハウジング１１０は取付けプレート１１２と内側プレート１１７を備え、それらは互いに実質的に平行に設けられている。開口１１１はハウジング１１０内に設けられ、取付けプレート１１２と内側プレート１１７を通って延在する。ラッチ・プレートを支持するために少なくとも１つの固定プレートが設けられるが、本発明の概念の範囲から逸脱することなく、他のいかなる枚数の固定プレートを設けてもよい。例えば、限定する意図はないが、２つの固定プレート１１６を図７Ｂに示し、３つの固定プレート１１６を図５Ａ〜図５Ｄに示す。
【００４１】
図７Ｂおよび図７Ｃに示すように、ハウジングの開口１１１内に固定プレート１１６を設けてもよい。図７Ｃに示すように、固定プレート１１６はそれぞれ切り欠き１１６ａを有してもよく、それらはラッチ・プレート１２０の外側端部１２０ｂに形成された切り欠き１２１と、形状および位置揃えの点で一致する。旋回軸Ｘとして中央ピン１６０が設けられている場合、中央ピン１６０は、固定プレート１１６、またはもしあれば複数の固定プレート１１６を通って延在してもよい。したがって、図５Ｂに示すように、（１つまたは複数の）固定プレート１１６およびラッチ・プレート１２０の切り欠きと実質的に同時に係合するように、ロック・バー１３０はロック位置に置かれるときにその第１の端部１３１の周りを旋回する。
【００４２】
安定性を増すために、取付けプレート１１２と固定プレート１１６の両方に隣接して配置されるように、ピン・プレート１１４および１１５を置いてもよい（図５Ａおよび図５Ｂ）。
【００４３】
では、図９および図１０に関連して、リテーナ・キャップ組立体を用いる方法を説明する。以下の説明により明らかなように、その例示的な実施形態では、他のいかなる器具も伴わずに、トラック組立体の組立てと取外しの両方が可能になる。図２、図３および図８に示すように、トラック組立体２１０を中央本体２０１に設置するとき、リテーナ・キャップ組立体１００によりトラック組立体２１０と取付けビーム２０２の間の移動が妨害されないように、リテーナ・キャップ組立体１００のラッチ・プレート１２０をロックされていない位置に置く（ステップＳ３００）。言い換えると、ラッチ・プレートと取付けビーム上の開口の間には障害物がない。トラック組立体が取付けビーム２０２のフランジ・プレート２０４に接触するまで、取付けビーム２０２の遠位端のエンド・プレート２０６は、トラック組立体２１０の開口２１３の内側に嵌め込まれる。トラック組立体２１０が取付けビーム２０２上をスライドし切れば（ステップＳ３１０）、またはより一般的には、１組の平行な取付けビーム２０２がトラック組立体２１０上の１組の開口２１３と係合すれば、リテーナ・キャップ組立体１００をそれがロックされる位置に操作することが可能になり、その際、ラッチ・プレート１２０はそれがロックされる位置に振られるので、取付けビーム２０２の内側を実質的に把持するようにグリップ面１２２が取付けビーム２０２の遠位端のエンド・プレート２０６の内面に直接面する（ステップＳ３２０）。ラッチ・プレート１２０同士が整列すれば、作業者はロック・バー１３０を所定の位置に振り（ステップ３３０）、着脱容易なピン１５０でロック・バーを固着することができる（ステップ３４０）。
【００４４】
この配置で、ラッチ・プレート１２０の内側端部１２０ａのグリップ面１２２とハウジング１１０の内側プレート１１５の間に設けられた隙間Ｇは、取付けビーム２０２のエンド・プレート２０６を受け入れるのに十分な広さの幅である。
【００４５】
リテーナ・キャップ組立体１００が取付けビーム２０２上に嵌め込まれれば、リテーナ・キャップ組立体１００が邪魔するようにロックされ、中央本体２０１からトラック組立体２１０が取り外されるのを防ぐ。その上、把持力が複数方向に与えられるので、トラック組立体２１０が取付けビーム２０２に固着される。
【００４６】
リテーナ・キャップ組立体１００を取り外すには、着脱容易なピン１５０を取り外し（ステップＳ４００）、ロック・バー１３０を切り欠きと係合した状態から振って（ステップ４１０）、ラッチ・プレート１２０をエンド・プレート２０６と係合した状態から旋回させる（ステップ４２０）。このロックされていない位置では、ラッチ・プレートが妨げられない位置にあり、取付けビーム２０２の開口２０３に遮られることなくリテーナ・キャップ組立体１００を係脱させ、取付けビーム２０２から取り外すことができる。したがって、ステップ４３０は、リテーナ・キャップ組立体１００が配置されたトラック組立体２１０をスライドして取付けビーム２０２から外すことを含む。
【００４７】
また、リテーナ・キャップ組立体を別個に扱いかつ収納する必要がなく、トラック組立体を車両から分離することができる。ロックされていない位置では、リテーナ・キャップ１００の自己保管できる特性のため、トラック組立体２１０に固定したままトラック組立体２１０が中央本体２０１の取付けビーム２０２上をスライドでき、そこから外れることができる。トラック組立体２１０が中央本体２０１から完全に外されている間に、トラック組立体２１０をトラック組立体上でロックされた状態にすることができ、そこでは、ロック・バー１３０と着脱容易なピン１５０がトラック組立体２１０上で所定の位置にロックされる。
【００４８】
例示的な実施形態では、リテーナ・キャップ組立体が取付けビーム上に適切にロックされたかどうかをユーザが確かめることができるように、リテーナ・キャップ組立体のロックされた状態を直感的で視覚的に確認することもできる。すなわち、ロック・バーが切り欠きに嵌まり、着脱容易なピンが係合した場合、ユーザは組立体がロックされたことがわかる。ロック・バーが切り欠きに嵌まっていない場合、組立体がロックされていないことをユーザは視覚的に確認することができる。
【００４９】
したがって、例示的なリテーナ・キャップ組立体により、中央本体に対してトラック組立体を付加しかつ取り外すための方法が容易になる一方で、トラック組立体が不適切に位置決めされることも防止される。別のいかなる器具も必要なく、作業者は、トラック組立体上に配置されたリテーナ・キャップ組立体のロックを解除し、ラッチ・プレートを妨げられない位置に振り、取付けビーム上でトラック組立体をスライドさせ、それからラッチ・プレートとロック・バーを所定の位置に振ることができる。それにより、作業者が別個の器具を用いる必要がないようにすることができる。その上、作業者は、リテーナ・キャップがロックされた位置に適切に設置されたかどうかを推測しなくてもよいようになる。ラッチ・プレートがそれがロックされる位置に適切に置かれなければロック・バーをそれがロックされる位置に振ることができないため、作業者は、単に装置を目視で確認することにより、リテーナ・キャップ組立体が完全にロックされた位置にあることを確認することができる。
【００５０】
他の特徴としては、ハウジングおよび／またはラッチ・プレートおよび／または旋回プレート上に、位置揃え用の縞をもつラベルを備えてもよい。
【００５１】
さらにまた、単一のロック・バーを利用する代わりに、それぞれのプレートを所定の位置にピンで留めてもよい。
【００５２】
本発明の概念をその例示的な実施形態に関して詳細に示し、説明してきたが、添付の特許請求の範囲によって定められる本発明の概念の精神および範囲から逸脱することなく、形状や細部に色々な変更を行ってもよいことが、当業者であれば理解されよう。
【００５３】
上記の実施形態では、車両２００にトラック組立体２１０をロックするためのものとして、リテーナ・キャップ組立体１００を用いている。しかしながら、これらに限らない本体とそれに取り付けられる被取付け部材についても、その本体に被取付け部材をロックするためのものとして、リテーナ・キャップ組立体１００を用いることが可能である。
【符号の説明】
【００５４】
１００    リテーナ・キャップ組立体
１１０    ハウジング
１２０    ラッチ・プレート
１３０    ロック・バー
１６０    中央ピン
２００    建設車両
２０１    本体
２０２    取付けビーム
２０４    フランジ・プレート
２１０    トラック組立体
２１１    トラック・フレーム
２１３    開口
【図５Ａ】
0005868212.tif 000002
【図５Ｂ】
0005868212.tif 000003
【図５Ｃ】
0005868212.tif 000004
【図５Ｄ】
0005868212.tif 000005
【図５Ｅ】
0005868212.tif 000006
【図６】
0005868212.tif 000007
【図７Ａ】
0005868212.tif 000008
【図７Ｂ】
0005868212.tif 000009
【図７Ｃ】
0005868212.tif 000010
【図９】
0005868212.tif 000011
【図１０】
0005868212.tif 000012
【図１】
0005868212.tif 000013
【図２】
0005868212.tif 000014
【図３】
0005868212.tif 000015
【図４】
0005868212.tif 000016
【図８】
0005868212.tif 000017